(57)【要約】【課題】本発明は自動的に密封できる包装袋を開示した。【解決手段】袋本体を含み、前記袋本体の頂端にはファスナーが設置され、前記ファスナーの底側には前記袋本体の両端に固定されるスライドバーが設置され、前記スライドバーには第一スライドブロックがスライドできるように設置される；本発明の自動的に密封できる包装袋は、反応が敏感で、自動化程度が高く、迅速かつ便利である；同時に、本発明の装置は簡潔で環境にやさしく、安全で丈夫であり、実用性が強い。【選択図】図１
2020147362.tif 000002
【特許請求の範囲】
【請求項１】
袋本体を含み、前記袋本体の頂端にはファスナーが設置され、前記ファスナーの底側には前記袋本体の両端に固定されるスライドバーが設置され、前記スライドバーには第一スライドブロックがスライドできるように設置され、前記第一スライドブロックの頂面には前記ファスナーと係合される引きリングが固定的に設置され、前記袋本体の右側壁の中には連結アームが固定的に設置され、前記連結アームには第一回転軸が回転できるように設置され、前記第一回転軸には定滑車が固定的に設置され、前記袋本体の底端には第一固定ブロックが固定的に設置され、前記第一固定ブロックの頂面には第二固定ブロックが固定的に設置され、前記第二固定ブロックの頂端には第一空きチャンバが設置され、前記第一空きチャンバには右に前記袋本体の内側に連通する抜き穴が設置され、前記第一空きチャンバの底壁の中には第二空きチャンバが設置され、前記第二空きチャンバと前記第一空きチャンバとの間にはスプラインスリーブが回転できるように設置され、前記スプラインスリーブの中には前記第一空きチャンバと前記第二空きチャンバの中に插入される第一スプライン軸がスライドできるように設置され、前記第一空きチャンバの中にある前記第一スプライン軸の末端にはリールが固定的に設置され、前記第一スライドブロックと前記リールとの間には前記定滑車により鋼線が連結され、前記第二空きチャンバの中にある前記第一スプライン軸には円盤が固定され、前記第二空きチャンバの底壁の中には第三空きチャンバが設置され、前記第三空きチャンバの底壁にはモータが固定的に設置され、前記第二空きチャンバと前記第三空きチャンバとの間には前記モータと動力が伝達できるように連結される第二スプライン軸が回転できるように設置され、前記第二スプライン軸が前記第一スプライン軸と噛合でき、前記第三空きチャンバの中にある前記第二スプライン軸には第一傘歯車が固定的に設置され、前記第三空きチャンバの右端壁の中には左に伸びている第二回転軸が回転できるように設置され、前記第二回転軸には第二傘歯車と前記第二傘歯車の右側に位置するタービン羽根とが固定的に設置され、前記第三空きチャンバの左端には前記袋本体の内側に連通する空気入り溝が設置され、前記空気入り溝の左端には逆止弁が固定的に設置され、前記第三空きチャンバには前記袋本体の外側に連通する空気排出パイプが設置される；従って、前記モータがタービン羽根を回転排気連動させ、同時にリールを回転連動させ糸巻きさせることを特徴とする自動的に密封できる包装袋。
【請求項２】
前記モータの底壁には第一電気スイッチが固定的に設置され、前記第一電気スイッチが第一導線により前記モータと電気により接続され、前記第一電気スイッチの前後端壁には外部に開口した第一スライド溝が対称的に設置され、前記第一スライド溝の中には前記袋本体と接触する第一押し出しバーがスライドできるように設置され、前記第一スライド溝の底端には第二スライド溝が連通し設置され、前記第二スライド溝の中には前記第一押し出しバーと固定的に連結される第二スライドブロックがスライドできるように設置され、前記第二スライドブロックと前記第二スライド溝の内側端面との間には第一ばねが固定的に連結され、前記第二空きチャンバの底端には第三スライド溝が連通し設置され、前記第三スライド溝の中には前記円盤と接触する押圧バーがスライドできるように設置され、後側の前記第一押し出しバーと前記押圧バーとの間には液圧パイプが伝動できるように設置され、前側の前記第一押し出しバーが前記第一電気スイッチを押すことができる；それにより、前側の前記第一押し出しバーが第一電気スイッチを押し、後側の前記第一押し出しバーが押圧バーを連動させて上に円盤を押圧させることを特徴とする請求項１に記載の自動的に密封できる包装袋。
【請求項３】
前記第一固定ブロックの中には上方に開口したスライドチャンバが設置され、前記スライドチャンバの中にはスライド板がスライドできるように設置され、前記スライド板と前記スライドチャンバの底壁との間には第二ばねが固定的に連結され、前記スライドチャンバの底壁の中には第二電気スイッチが設置され、前記スライド板の底面には前記第二電気スイッチと接触する第二押し出しバーが固定的に設置され、前記第二電気スイッチの左端壁の中には電池が設置され、前記電池と前記第二電気スイッチとの間には第二導線が電気により接続され、前記第二電気スイッチと前記第一電気スイッチとの間には第三導線が電気により接続される；それにより、スライド板が第二押し出しバーを連動させて第二電気スイッチを押圧させることを特徴とする請求項１に記載の自動的に密封できる包装袋。
【発明の詳細な説明】
【技術分野】
【０００１】
本発明は包装袋分野を取り上げて、具体的には自動的に密封できる包装袋である。
【背景技術】
【０００２】
一般的な包装袋は一定の耐荷重があり、人々がものを入れるとき重さを直感的に把握できなく、袋の中に重すぎるものを入れやすく、包装袋が壊れる；また、包装袋の中に空気があるため、ものにとって揺動空間があり、同時に、多すぎる外部空間を占める；従って、自動的に密封できる包装袋を設計し上記問題を解決する必要がある。
【先行技術文献】
【特許文献】
【０００３】
【特許文献１】中国特許出願公開第１０４９４３９９７号明細書
【発明の概要】
【発明が解決しようとする課題】
【０００４】
本発明の目的は自動的に密封できる包装袋を提供し、それは上記の現在の技術中の問題を解決できる。
【課題を解決するための手段】
【０００５】
本発明は以下の技術プランを通じて実現する：本発明の自動的に密封できる包装袋は、袋本体を含み、前記袋本体の頂端にはファスナーが設置され、前記ファスナーの底側には前記袋本体の両端に固定されるスライドバーが設置され、前記スライドバーには第一スライドブロックがスライドできるように設置され、前記第一スライドブロックの頂面には前記ファスナーと係合される引きリングが固定的に設置され、前記袋本体の右側壁の中には連結アームが固定的に設置され、前記連結アームには第一回転軸が回転できるように設置され、前記第一回転軸には定滑車が固定的に設置され、前記袋本体の底端には第一固定ブロックが固定的に設置され、前記第一固定ブロックの頂面には第二固定ブロックが固定的に設置され、前記第二固定ブロックの頂端には第一空きチャンバが設置され、前記第一空きチャンバには右に前記袋本体の内側に連通する抜き穴が設置され、前記第一空きチャンバの底壁の中には第二空きチャンバが設置され、前記第二空きチャンバと前記第一空きチャンバとの間にはスプラインスリーブが回転できるように設置され、前記スプラインスリーブの中には前記第一空きチャンバと前記第二空きチャンバの中に插入される第一スプライン軸がスライドできるように設置され、前記第一空きチャンバの中にある前記第一スプライン軸の末端にはリールが固定的に設置され、前記第一スライドブロックと前記リールとの間には前記定滑車により鋼線が連結され、前記第二空きチャンバの中にある前記第一スプライン軸には円盤が固定され、前記第二空きチャンバの底壁の中には第三空きチャンバが設置され、前記第三空きチャンバの底壁にはモータが固定的に設置され、前記第二空きチャンバと前記第三空きチャンバとの間には前記モータと動力が伝達できるように連結される第二スプライン軸が回転できるように設置され、前記第二スプライン軸が前記第一スプライン軸と噛合でき、前記第三空きチャンバの中にある前記第二スプライン軸には第一傘歯車が固定的に設置され、前記第三空きチャンバの右端壁の中には左に伸びている第二回転軸が回転できるように設置され、前記第二回転軸には第二傘歯車と前記第二傘歯車の右側に位置するタービン羽根とが固定的に設置され、前記第三空きチャンバの左端には前記袋本体の内側に連通する空気入り溝が設置され、前記空気入り溝の左端には逆止弁が固定的に設置され、前記第三空きチャンバには前記袋本体の外側に連通する空気排出パイプが設置される。
【０００６】
優選的には、前記モータの底壁には第一電気スイッチが固定的に設置され、前記第一電気スイッチが第一導線により前記モータと電気により接続され、前記第一電気スイッチの前後端壁には外部に開口した第一スライド溝が対称的に設置され、前記第一スライド溝の中には前記袋本体と接触する第一押し出しバーがスライドできるように設置され、前記第一スライド溝の底端には第二スライド溝が連通し設置され、前記第二スライド溝の中には前記第一押し出しバーと固定的に連結される第二スライドブロックがスライドできるように設置され、前記第二スライドブロックと前記第二スライド溝の内側端面との間には第一ばねが固定的に連結され、前記第二空きチャンバの底端には第三スライド溝が連通し設置され、前記第三スライド溝の中には前記円盤と接触する押圧バーがスライドできるように設置され、後側の前記第一押し出しバーと前記押圧バーとの間には液圧パイプが伝動できるように設置され、前側の前記第一押し出しバーが前記第一電気スイッチを押すことができる。
【０００７】
優選的には、前記第一固定ブロックの中には上方に開口したスライドチャンバが設置され、前記スライドチャンバの中にはスライド板がスライドできるように設置され、前記スライド板と前記スライドチャンバの底壁との間には第二ばねが固定的に連結され、前記スライドチャンバの底壁の中には第二電気スイッチが設置され、前記スライド板の底面には前記第二電気スイッチと接触する第二押し出しバーが固定的に設置され、前記第二電気スイッチの左端壁の中には電池が設置され、前記電池と前記第二電気スイッチとの間には第二導線が電気により接続され、前記第二電気スイッチと前記第一電気スイッチとの間には第三導線が電気により接続される。
【発明の効果】
【０００８】
以上に述べたのはただ本発明の具体的な実施方式で、しかし本発明の保護範囲はここに限らないである。全部の創造的な労働を通じなく思いついた変化と取替は本発明の保護範囲にカバーされる。
【図面の簡単な説明】
【０００９】
説明しやすいため、本発明は以下の具体的な実施例と付図を交え詳しく説明する。
【００１０】
【図１】図１は本発明の自動的に密封できる包装袋の全体構成略図である；
【図２】図２は図１のＡ−Ａの構成略図である；
【図３】図３は図１のＢの拡大構成略図である。
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
下記に図１−３をあわせて本発明について詳しく説明し、便利に説明するために、下記の方向を以下のように規定する：以下に述べる上下左右前後の方向と図１の自身投影関係の上下左右前後の方向とが一致である。
【００１３】
図１−３に示すように、本発明の自動的に密封できる包装袋は、袋本体１７を含み、前記袋本体１７の頂端にはファスナー１３が設置され、前記ファスナー１３の底側には前記袋本体１７の両端に固定されるスライドバー１４が設置され、前記スライドバー１４には第一スライドブロック１６がスライドできるように設置され、前記第一スライドブロック１６の頂面には前記ファスナー１３と係合される引きリング１２が固定的に設置され、前記袋本体１７の右側壁の中には連結アーム３２が固定的に設置され、前記連結アーム３２には第一回転軸３３が回転できるように設置され、前記第一回転軸３３には定滑車３１が固定的に設置され、前記袋本体１７の底端には第一固定ブロック１９が固定的に設置され、前記第一固定ブロック１９の頂面には第二固定ブロック２７が固定的に設置され、前記第二固定ブロック２７の頂端には第一空きチャンバ４２が設置され、前記第一空きチャンバ４２には右に前記袋本体１７の内側に連通する抜き穴３０が設置され、前記第一空きチャンバ４２の底壁の中には第二空きチャンバ４６が設置され、前記第二空きチャンバ４６と前記第一空きチャンバ４２との間にはスプラインスリーブ４５が回転できるように設置され、前記スプラインスリーブ４５の中には前記第一空きチャンバ４２と前記第二空きチャンバ４６の中に插入される第一スプライン軸４４がスライドできるように設置され、前記第一空きチャンバ４２の中にある前記第一スプライン軸４４の末端にはリール４３が固定的に設置され、前記第一スライドブロック１６と前記リール４３との間には前記定滑車３１により鋼線３４が連結され、前記第二空きチャンバ４６の中にある前記第一スプライン軸４４には円盤４７が固定され、前記第二空きチャンバ４６の底壁の中には第三空きチャンバ６０が設置され、前記第三空きチャンバ６０の底壁にはモータ５２が固定的に設置され、前記第二空きチャンバ４６と前記第三空きチャンバ６０との間には前記モータ５２と動力が伝達できるように連結される第二スプライン軸５３が回転できるように設置され、前記第二スプライン軸５３が前記第一スプライン軸４４と噛合でき、前記第三空きチャンバ６０の中にある前記第二スプライン軸５３には第一傘歯車５８が固定的に設置され、前記第三空きチャンバ６０の右端壁の中には左に伸びている第二回転軸５６が回転できるように設置され、前記第二回転軸５６には第二傘歯車５７と前記第二傘歯車５７の右側に位置するタービン羽根５４とが固定的に設置され、前記第三空きチャンバ６０の左端には前記袋本体１７の内側に連通する空気入り溝５１が設置され、前記空気入り溝５１の左端には逆止弁５０が固定的に設置され、前記第三空きチャンバ６０には前記袋本体１７の外側に連通する空気排出パイプ５９が設置される。
【００１４】
有益的には、前記モータ５２の底壁には第一電気スイッチ２８が固定的に設置され、前記第一電気スイッチ２８が第一導線２９により前記モータ５２と電気により接続され、前記第一電気スイッチ２８の前後端壁には外部に開口した第一スライド溝３７が対称的に設置され、前記第一スライド溝３７の中には前記袋本体１７と接触する第一押し出しバー３８がスライドできるように設置され、前記第一スライド溝３７の底端には第二スライド溝３９が連通し設置され、前記第二スライド溝３９の中には前記第一押し出しバー３８と固定的に連結される第二スライドブロック４０がスライドできるように設置され、前記第二スライドブロック４０と前記第二スライド溝３９の内側端面との間には第一ばね４１が固定的に連結され、前記第二空きチャンバ４６の底端には第三スライド溝４９が連通し設置され、前記第三スライド溝４９の中には前記円盤４７と接触する押圧バー４８がスライドできるように設置され、後側の前記第一押し出しバー３８と前記押圧バー４８との間には液圧パイプ３６が伝動できるように設置され、前側の前記第一押し出しバー３８が前記第一電気スイッチ２８を押すことができる。
【００１５】
有益的には、前記第一固定ブロック１９の中には上方に開口したスライドチャンバ２０が設置され、前記スライドチャンバ２０の中にはスライド板１８がスライドできるように設置され、前記スライド板１８と前記スライドチャンバ２０の底壁との間には第二ばね２１が固定的に連結され、前記スライドチャンバ２０の底壁の中には第二電気スイッチ２４が設置され、前記スライド板１８の底面には前記第二電気スイッチ２４と接触する第二押し出しバー２５が固定的に設置され、前記第二電気スイッチ２４の左端壁の中には電池２２が設置され、前記電池２２と前記第二電気スイッチ２４との間には第二導線２３が電気により接続され、前記第二電気スイッチ２４と前記第一電気スイッチ２８との間には第三導線２６が電気により接続される。
【００１６】
下記に、図１−３と上記記述した本出願の自動的に密封できる包装袋の具体的な構成を参考し、その使用方法を詳しく紹介する：
【００１７】
まず、初期状態に、第一電気スイッチ２８が第一導線２９と第三導線２６とを連通し、第二電気スイッチ２４が第二導線２３と第三導線２６との電気的接続を切断する；
【００１８】
ものを袋本体１７の中に入れ、スライド板１８が圧力をうけ第二押し出しバー２５を駆動し下にスライドさせ、スライド板１８が一定の圧力を受けるとき、第二押し出しバー２５が第二電気スイッチ２４を押し、第三導線２６と第二導線２３とを連通し、このとき、電池２２がモータ５２に電気を提供し、モータ５２が第二スプライン軸５３を回転連動させ、第二スプライン軸５３が第一傘歯車５８と第一スプライン軸４４とを回転連動させ、第一スプライン軸４４がリール４３を回転連動させ、リール４３が鋼線３４を巻き第一スライドブロック１６を右にスライドさせ、第一スライドブロック１６が引きリング１２を連動させ右に袋本体１７を密封させる；
【００１９】
それと同時に、第一傘歯車５８が第二傘歯車５７とタービン羽根５４とを回転連動させ、袋本体１７の中にある空気を空気排出パイプ５９により袋本体１７の外部まで排出し、袋本体１７が収縮し続け平べったくなり、前後側の袋本体１７が第一押し出しバー３８を押すとき、前側の第一押し出しバー３８が第一電気スイッチ２８を押し出し、第一電気スイッチ２８が第一導線２９と第三導線２６との電気的接続を切断し、モータ５２が停電し回転停止し、同時に、後側の第一押し出しバー３８が液圧パイプ３６により押圧バー４８を連動させ上にスライドさせ、押圧バー４８が円盤４７と第一スプライン軸４４とを連動させ上にスライドさせ、第一スプライン軸４４が第二スプライン軸５３との噛合から離れ、このとき引きリング１２を引くとき必要な力が減少する；
【００２０】
引きリング１２を引きものを取り出した後、袋本体１７の内部が再び空気で満たされ、装置が初期状態に戻る。
【００２１】
以上により、本発明の自動的に密封できる包装袋は、反応が敏感で、自動化程度が高く、迅速かつ便利である；同時に、本発明の装置は簡潔で環境にやさしく、安全で丈夫であり、実用性が強い。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。
【図１】
2020147362.tif 000003
【図２】
2020147362.tif 000004
【図３】
2020147362.tif 000005
【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
袋本体を含み、前記袋本体の頂端にはファスナーが設置され、前記ファスナーの底側には前記袋本体の両端に固定されるスライドバーが設置され、前記スライドバーには第一スライドブロックがスライドできるように設置され、前記第一スライドブロックの頂面には前記ファスナーと係合される引きリングが固定的に設置され、前記袋本体の右側壁の中には連結アームが固定的に設置され、前記連結アームには第一回転軸が回転できるように設置され、前記第一回転軸には定滑車が固定的に設置され、前記袋本体の底端には第一固定ブロックが固定的に設置され、前記第一固定ブロックの頂面には第二固定ブロックが固定的に設置され、前記第二固定ブロックの頂端には第一空きチャンバが設置され、前記第一空きチャンバには右に前記袋本体の内側に連通する抜き穴が設置され、前記第一空きチャンバの底壁の中には第二空きチャンバが設置され、前記第二空きチャンバと前記第一空きチャンバとの間にはスプラインスリーブが回転できるように設置され、前記スプラインスリーブの中には前記第一空きチャンバと前記第二空きチャンバの中に插入される第一スプライン軸がスライドできるように設置され、前記第一空きチャンバの中にある前記第一スプライン軸の末端にはリールが固定的に設置され、前記第一スライドブロックと前記リールとの間には前記定滑車により鋼線が連結され、前記第二空きチャンバの中にある前記第一スプライン軸には円盤が固定され、前記第二空きチャンバの底壁の中には第三空きチャンバが設置され、前記第三空きチャンバの底壁にはモータが固定的に設置され、前記第二空きチャンバと前記第三空きチャンバとの間には前記モータと動力が伝達できるように連結される第二スプライン軸が回転できるように設置され、前記第二スプライン軸が前記第一スプライン軸と噛合でき、前記第三空きチャンバの中にある前記第二スプライン軸には第一傘歯車が固定的に設置され、前記第三空きチャンバの右端壁の中には左に伸びている第二回転軸が回転できるように設置され、前記第二回転軸には第二傘歯車と前記第二傘歯車の右側に位置するタービン羽根とが固定的に設置され、前記第三空きチャンバの左端には前記袋本体の内側に連通する空気入り溝が設置され、前記空気入り溝の左端には逆止弁が固定的に設置され、前記第三空きチャンバには前記袋本体の外側に連通する空気排出パイプが設置される；従って、前記モータがタービン羽根を回転排気連動させ、同時にリールを回転連動させ糸巻きさせることを特徴とする自動的に密封できる包装袋。
【請求項２】
前記モータの下方の前記第二固定ブロックの壁体の中には第一電気スイッチが固定的に設置され、前記第一電気スイッチが第一導線により前記モータと電気により接続され、前記第一電気スイッチの前後両側の前記第二固定ブロックの壁体の中には外部に開口した第一スライド溝が対称的に設置され、前記第一スライド溝の中には前記袋本体と接触する第一押し出しバーがスライドできるように設置され、前記第一スライド溝の底端には第二スライド溝が連通し設置され、前記第二スライド溝の中には前記第一押し出しバーと固定的に連結される第二スライドブロックがスライドできるように設置され、前記第二スライドブロックと前記第二スライド溝の内側端面との間には第一ばねが固定的に連結され、前記第二空きチャンバの底端には第三スライド溝が連通し設置され、前記第三スライド溝の中には前記円盤と接触する押圧バーがスライドできるように設置され、後側の前記第一押し出しバーと前記押圧バーとの間には液圧パイプが伝動できるように設置され、前側の前記第一押し出しバーが前記第一電気スイッチを押すことができる；それにより、前側の前記第一押し出しバーが第一電気スイッチを押し、後側の前記第一押し出しバーが押圧バーを連動させて上に円盤を押圧させることを特徴とする請求項１に記載の自動的に密封できる包装袋。
【請求項３】
前記第一固定ブロックの中には上方に開口したスライドチャンバが設置され、前記スライドチャンバの中にはスライド板がスライドできるように設置され、前記スライド板と前記スライドチャンバの底壁との間には第二ばねが固定的に連結され、前記スライドチャンバの底壁の中には第二電気スイッチが設置され、前記スライド板の底面には前記第二電気スイッチと接触する第二押し出しバーが固定的に設置され、前記第二電気スイッチの左側の前記第一固定ブロックの壁体の中には電池が設置され、前記電池と前記第二電気スイッチとの間には第二導線が電気により接続され、前記第二電気スイッチと前記第一電気スイッチとの間には第三導線が電気により接続される；それにより、スライド板が第二押し出しバーを連動させて第二電気スイッチを押圧させることを特徴とする請求項１に記載の自動的に密封できる包装袋。
【手続補正２】
【補正対象書類名】明細書
【補正対象項目名】全文
【補正方法】変更
【補正の内容】
【発明の詳細な説明】
【技術分野】
【０００１】
本発明は包装袋分野を取り上げて、具体的には自動的に密封できる包装袋である。
【背景技術】
【０００２】
一般的な包装袋は一定の耐荷重があり、人々がものを入れるとき重さを直感的に把握できなく、袋の中に重すぎるものを入れやすく、包装袋が壊れる；また、包装袋の中に空気があるため、ものにとって揺動空間があり、同時に、多すぎる外部空間を占める；従って、自動的に密封できる包装袋を設計し上記問題を解決する必要がある。
【先行技術文献】
【特許文献】
【０００３】
【特許文献１】中国特許出願公開第１０４９４３９９７号明細書
【発明の概要】
【発明が解決しようとする課題】
【０００４】
本発明の目的は自動的に密封できる包装袋を提供し、それは上記の現在の技術中の問題を解決できる。
【課題を解決するための手段】
【０００５】
本発明は以下の技術プランを通じて実現する：本発明の自動的に密封できる包装袋は、袋本体を含み、前記袋本体の頂端にはファスナーが設置され、前記ファスナーの底側には前記袋本体の両端に固定されるスライドバーが設置され、前記スライドバーには第一スライドブロックがスライドできるように設置され、前記第一スライドブロックの頂面には前記ファスナーと係合される引きリングが固定的に設置され、前記袋本体の右側壁の中には連結アームが固定的に設置され、前記連結アームには第一回転軸が回転できるように設置され、前記第一回転軸には定滑車が固定的に設置され、前記袋本体の底端には第一固定ブロックが固定的に設置され、前記第一固定ブロックの頂面には第二固定ブロックが固定的に設置され、前記第二固定ブロックの頂端には第一空きチャンバが設置され、前記第一空きチャンバには右に前記袋本体の内側に連通する抜き穴が設置され、前記第一空きチャンバの底壁の中には第二空きチャンバが設置され、前記第二空きチャンバと前記第一空きチャンバとの間にはスプラインスリーブが回転できるように設置され、前記スプラインスリーブの中には前記第一空きチャンバと前記第二空きチャンバの中に插入される第一スプライン軸がスライドできるように設置され、前記第一空きチャンバの中にある前記第一スプライン軸の末端にはリールが固定的に設置され、前記第一スライドブロックと前記リールとの間には前記定滑車により鋼線が連結され、前記第二空きチャンバの中にある前記第一スプライン軸には円盤が固定され、前記第二空きチャンバの底壁の中には第三空きチャンバが設置され、前記第三空きチャンバの底壁にはモータが固定的に設置され、前記第二空きチャンバと前記第三空きチャンバとの間には前記モータと動力が伝達できるように連結される第二スプライン軸が回転できるように設置され、前記第二スプライン軸が前記第一スプライン軸と噛合でき、前記第三空きチャンバの中にある前記第二スプライン軸には第一傘歯車が固定的に設置され、前記第三空きチャンバの右端壁の中には左に伸びている第二回転軸が回転できるように設置され、前記第二回転軸には第二傘歯車と前記第二傘歯車の右側に位置するタービン羽根とが固定的に設置され、前記第三空きチャンバの左端には前記袋本体の内側に連通する空気入り溝が設置され、前記空気入り溝の左端には逆止弁が固定的に設置され、前記第三空きチャンバには前記袋本体の外側に連通する空気排出パイプが設置される。
【０００６】
優選的には、前記モータの下方の前記第二固定ブロックの壁体の中には第一電気スイッチが固定的に設置され、前記第一電気スイッチが第一導線により前記モータと電気により接続され、前記第一電気スイッチの前後両側の前記第二固定ブロックの壁体の中には外部に開口した第一スライド溝が対称的に設置され、前記第一スライド溝の中には前記袋本体と接触する第一押し出しバーがスライドできるように設置され、前記第一スライド溝の底端には第二スライド溝が連通し設置され、前記第二スライド溝の中には前記第一押し出しバーと固定的に連結される第二スライドブロックがスライドできるように設置され、前記第二スライドブロックと前記第二スライド溝の内側端面との間には第一ばねが固定的に連結され、前記第二空きチャンバの底端には第三スライド溝が連通し設置され、前記第三スライド溝の中には前記円盤と接触する押圧バーがスライドできるように設置され、後側の前記第一押し出しバーと前記押圧バーとの間には液圧パイプが伝動できるように設置され、前側の前記第一押し出しバーが前記第一電気スイッチを押すことができる。
【０００７】
優選的には、前記第一固定ブロックの中には上方に開口したスライドチャンバが設置され、前記スライドチャンバの中にはスライド板がスライドできるように設置され、前記スライド板と前記スライドチャンバの底壁との間には第二ばねが固定的に連結され、前記スライドチャンバの底壁の中には第二電気スイッチが設置され、前記スライド板の底面には前記第二電気スイッチと接触する第二押し出しバーが固定的に設置され、前記第二電気スイッチの左側の前記第一固定ブロックの壁体の中には電池が設置され、前記電池と前記第二電気スイッチとの間には第二導線が電気により接続され、前記第二電気スイッチと前記第一電気スイッチとの間には第三導線が電気により接続される。
【発明の効果】
【０００８】
以上に述べたのはただ本発明の具体的な実施方式で、しかし本発明の保護範囲はここに限らないである。全部の創造的な労働を通じなく思いついた変化と取替は本発明の保護範囲にカバーされる。
【図面の簡単な説明】
【０００９】
説明しやすいため、本発明は以下の具体的な実施例と付図を交え詳しく説明する。下記の方向を以下のように規定する：図１の観察視点は前から後ろへ見ることで（すなわち図１は正面図です）、以下に述べる上下左右前後の方向と図１の上下左右前後の方向とが一致である。
【００１０】
【図１】図１は本発明の自動的に密封できる包装袋の全体構成略図である；
【図２】図２は図１のＡ−Ａの構成略図である；
【図３】図３は図１のＢの拡大構成略図である。
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
下記に図１−３をあわせて本発明について詳しく説明し、便利に説明するために、下記の方向を以下のように規定する：以下に述べる上下左右前後の方向と図１の自身投影関係の上下左右前後の方向とが一致である。
【００１３】
図１−３に示すように、本発明の自動的に密封できる包装袋は、袋本体１７を含み、前記袋本体１７の頂端にはファスナー１３が設置され、前記ファスナー１３の底側には前記袋本体１７の両端に固定されるスライドバー１４が設置され、前記スライドバー１４には第一スライドブロック１６がスライドできるように設置され、前記第一スライドブロック１６の頂面には前記ファスナー１３と係合される引きリング１２が固定的に設置され、前記袋本体１７の右側壁の中には連結アーム３２が固定的に設置され、前記連結アーム３２には第一回転軸３３が回転できるように設置され、前記第一回転軸３３には定滑車３１が固定的に設置され、前記袋本体１７の底端には第一固定ブロック１９が固定的に設置され、前記第一固定ブロック１９の頂面には第二固定ブロック２７が固定的に設置され、前記第二固定ブロック２７の頂端には第一空きチャンバ４２が設置され、前記第一空きチャンバ４２には右に前記袋本体１７の内側に連通する抜き穴３０が設置され、前記第一空きチャンバ４２の底壁の中には第二空きチャンバ４６が設置され、前記第二空きチャンバ４６と前記第一空きチャンバ４２との間にはスプラインスリーブ４５が回転できるように設置され、前記スプラインスリーブ４５の中には前記第一空きチャンバ４２と前記第二空きチャンバ４６の中に插入される第一スプライン軸４４がスライドできるように設置され、前記第一空きチャンバ４２の中にある前記第一スプライン軸４４の末端にはリール４３が固定的に設置され、前記第一スライドブロック１６と前記リール４３との間には前記定滑車３１により鋼線３４が連結され、前記第二空きチャンバ４６の中にある前記第一スプライン軸４４には円盤４７が固定され、前記第二空きチャンバ４６の底壁の中には第三空きチャンバ６０が設置され、前記第三空きチャンバ６０の底壁にはモータ５２が固定的に設置され、前記第二空きチャンバ４６と前記第三空きチャンバ６０との間には前記モータ５２と動力が伝達できるように連結される第二スプライン軸５３が回転できるように設置され、前記第二スプライン軸５３が前記第一スプライン軸４４と噛合でき、前記第三空きチャンバ６０の中にある前記第二スプライン軸５３には第一傘歯車５８が固定的に設置され、前記第三空きチャンバ６０の右端壁の中には左に伸びている第二回転軸５６が回転できるように設置され、前記第二回転軸５６には第二傘歯車５７と前記第二傘歯車５７の右側に位置するタービン羽根５４とが固定的に設置され、前記第三空きチャンバ６０の左端には前記袋本体１７の内側に連通する空気入り溝５１が設置され、前記空気入り溝５１の左端には逆止弁５０が固定的に設置され、前記第三空きチャンバ６０には前記袋本体１７の外側に連通する空気排出パイプ５９が設置される。
【００１４】
有益的には、前記モータ５２の下方の前記第二固定ブロック２７の壁体の中には第一電気スイッチ２８が固定的に設置され、前記第一電気スイッチ２８が第一導線２９により前記モータ５２と電気により接続され、前記第一電気スイッチ２８の前後両側の前記第二固定ブロック２７の壁体の中には外部に開口した第一スライド溝３７が対称的に設置され、前記第一スライド溝３７の中には前記袋本体１７と接触する第一押し出しバー３８がスライドできるように設置され、前記第一スライド溝３７の底端には第二スライド溝３９が連通し設置され、前記第二スライド溝３９の中には前記第一押し出しバー３８と固定的に連結される第二スライドブロック４０がスライドできるように設置され、前記第二スライドブロック４０と前記第二スライド溝３９の内側端面との間には第一ばね４１が固定的に連結され、前記第二空きチャンバ４６の底端には第三スライド溝４９が連通し設置され、前記第三スライド溝４９の中には前記円盤４７と接触する押圧バー４８がスライドできるように設置され、後側の前記第一押し出しバー３８と前記押圧バー４８との間には液圧パイプ３６が伝動できるように設置され、前側の前記第一押し出しバー３８が前記第一電気スイッチ２８を押すことができる。
【００１５】
有益的には、前記第一固定ブロック１９の中には上方に開口したスライドチャンバ２０が設置され、前記スライドチャンバ２０の中にはスライド板１８がスライドできるように設置され、前記スライド板１８と前記スライドチャンバ２０の底壁との間には第二ばね２１が固定的に連結され、前記スライドチャンバ２０の底壁の中には第二電気スイッチ２４が設置され、前記スライド板１８の底面には前記第二電気スイッチ２４と接触する第二押し出しバー２５が固定的に設置され、前記第二電気スイッチ２４の左側の前記第一固定ブロック１９の壁体の中には電池２２が設置され、前記電池２２と前記第二電気スイッチ２４との間には第二導線２３が電気により接続され、前記第二電気スイッチ２４と前記第一電気スイッチ２８との間には第三導線２６が電気により接続される。
【００１６】
下記に、図１−３と上記記述した本出願の自動的に密封できる包装袋の具体的な構成を参考し、その使用方法を詳しく紹介する：
【００１７】
まず、初期状態に、第一電気スイッチ２８が第一導線２９と第三導線２６とを連通し、第二電気スイッチ２４が第二導線２３と第三導線２６との電気的接続を切断する；
【００１８】
ものを袋本体１７の中に入れ、スライド板１８が圧力をうけ第二押し出しバー２５を駆動し下にスライドさせ、スライド板１８が一定の圧力を受けるとき、第二押し出しバー２５が第二電気スイッチ２４を押し、第三導線２６と第二導線２３とを連通し、このとき、電池２２がモータ５２に電気を提供し、モータ５２が第二スプライン軸５３を回転連動させ、第二スプライン軸５３が第一傘歯車５８と第一スプライン軸４４とを回転連動させ、第一スプライン軸４４がリール４３を回転連動させ、リール４３が鋼線３４を巻き第一スライドブロック１６を右にスライドさせ、第一スライドブロック１６が引きリング１２を連動させ右に袋本体１７を密封させる；
【００１９】
それと同時に、第一傘歯車５８が第二傘歯車５７とタービン羽根５４とを回転連動させ、袋本体１７の中にある空気を空気排出パイプ５９により袋本体１７の外部まで排出し、袋本体１７が収縮し続け平べったくなり、前後側の袋本体１７が第一押し出しバー３８を押すとき、前側の第一押し出しバー３８が第一電気スイッチ２８を押し出し、第一電気スイッチ２８が第一導線２９と第三導線２６との電気的接続を切断し、モータ５２が停電し回転停止し、同時に、後側の第一押し出しバー３８が液圧パイプ３６により押圧バー４８を連動させ上にスライドさせ、押圧バー４８が円盤４７と第一スプライン軸４４とを連動させ上にスライドさせ、第一スプライン軸４４が第二スプライン軸５３との噛合から離れ、このとき引きリング１２を引くとき必要な力が減少する；
【００２０】
引きリング１２を引きものを取り出した後、袋本体１７の内部が再び空気で満たされ、装置が初期状態に戻る。
【００２１】
以上により、本発明の自動的に密封できる包装袋は、反応が敏感で、自動化程度が高く、迅速かつ便利である；同時に、本発明の装置は簡潔で環境にやさしく、安全で丈夫であり、実用性が強い。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。